(57)【特許請求の範囲】
【請求項１】
圃場に移植する苗を供給する供給装置（２００）と、前記供給装置（２００）から供給された苗を圃場に植え付ける左右の植付具（３１０，３２０）と、複数の前記左右の植付具（３１０，３２０）で植え付けた苗の側方を各々傾斜姿勢で鎮圧する鎮圧輪（４１１、４１２、４２１、４２２）とを備える移植機において、
前記左右の植付具（３１０，３２０）にそれぞれ対応する左右の鎮圧装置（４１０，４２０）と、車体左側に設けられた左外側鎮圧輪フレーム（４３０）と、車体右側に設けられた右外側鎮圧輪フレーム（４４０）と、前記左外側鎮圧輪フレーム（４３０）と、前記右外側鎮圧輪フレーム（４４０）と、の間に設けられた内側鎮圧輪フレーム（４５０）と、鎮圧輪フレーム連結アーム部材（４９２）とを備え、
前記左右の鎮圧装置（４１０，４２０）の各々は、前記移植物植付具（３１０、３２０）を挟むように車体左右方向を基準として並んで設けられた二個の前記鎮圧輪（４１１、４１２、４２１、４２２）を有し、
前記左右の植付具（３１０，３２０）は傾斜姿勢で配置して植付位置を互いに接近させ、前記鎮圧輪のうち、前記左右の植付具（３１０，３２０）の間に各々配置される左右の内側鎮圧輪（４１１，４２１）の鉛直方向を基準とする傾斜角度を、前記左右の植付具（３１０，３２０）の外側に各々配置される左右の外側鎮圧輪（４１２，４２２）の前記鉛直方向を基準とする傾斜角度よりも小さくし、
前記内側鎮圧輪フレーム（４５０）は、一体的に形成された、前記左外側鎮圧輪フレーム（４３０）、前記右外側鎮圧輪フレーム（４４０）、および前記鎮圧輪フレーム連結アーム部材（４９２）に接続されており、
下方への付勢力を印加するための左右の鎮圧装置付勢スプリング（４７１，４８１）がそれぞれ取付けられた左右の鎮圧装置付勢ロッド（４７０，４８０）の下端部は、前記鎮圧輪フレーム連結アーム部材（４９２）へ接続されており、
前記左右の鎮圧装置付勢ロッド（４７０，４８０）の前記車体左右方向を基準とした中心は、それぞれ、前記左右の植付具（３１０，３２０）がそれぞれ有する左右の苗受入部（３１１，３２１）の前記車体左右方向を基準とした中心と車体背面視において一致することを特徴とする移植機。
【請求項２】
前記左右の植付具（３１０，３２０）の間に前記左右の内側鎮圧輪（４１１，４２１）を装着する一つの前記内側鎮圧輪フレーム（４５０）を設け、
前記左右の内側鎮圧輪（４１１，４２１）は、前記左右の植付具（３１０，３２０）が植え付けた苗の機体内側の土を各々鎮圧する第１内側鎮圧輪（４１１）と第２内側鎮圧輪（４２１）とし、
前記左右の外側鎮圧輪（４１２，４２２）は、前記左右の植付具（３１０，３２０）が植え付けた苗の機体外側の土を各々鎮圧する第１外側鎮圧輪（４１２）と第２外側鎮圧輪（４２２）とし、
前記第１内側鎮圧輪（４１１）と前記第２内側鎮圧輪（４２１）の取付位置は、車体前後方向で異なる位置とし、
前記内側鎮圧輪フレーム（４５０）に前記第１内側鎮圧輪（４１１）を装着する第１内側ステー（４６１）と、前記第２内側鎮圧輪（４２１）を装着する第２内側ステー（４６３）とを設け、
前記第１内側ステー（４６１）と前記第２内側ステー（４６３）は、側面視で取付位置を前後位置に異ならせると共に、背面視で互いに交差する構成とし、
前記第１外側鎮圧輪（４１２）は前記左外側鎮圧輪フレーム（４３０）に取付けられており、前記第２外側鎮圧輪（４２２）は前記右外側鎮圧輪フレーム（４４０）に取付けられており、
車体左側の鎮圧輪ステー（４６２）は前記左の植付具（３１０）の左外側面よりも外側に設けられた前記左外側鎮圧輪フレーム（４３０）に取付けられており、車体右側の鎮圧輪ステー（４６４）は前記右の植付具（３２０）の右外側面よりも外側に設けられた前記右外側鎮圧輪フレーム（４４０）に取付けられており、
前記第１内側ステー（４６１）および前記鎮圧輪ステー（４６４）が、前記鎮圧輪ステー（４６２）および前記第２内側ステー（４６３）よりも前記車体前後方向を基準として前方に設けられており、
前記内側鎮圧輪フレーム（４５０）の右外側面の側から取付けられた、車体左側の前記第１内側ステー（４６１）の取付基部は、前記内側鎮圧輪フレーム（４５０）の左外側面の側から取付けられた、車体右側の前記第２内側ステー（４６３）の取付基部よりも前方に設けられており、
前記第１内側ステー（４６１）は前記第２内側ステー（４６３）と車体背面視において植付条間距離に応じた配置関係で互いに交差することを特徴とする請求項１に記載の移植機。
【請求項３】
植え付けた前記苗の周辺の土壌に供給される水を貯留する水タンク（６００）と、前記水タンク（６００）を載置する水タンクステー（７００）とを備え、
前記水タンクステー（７００）は、前記車体左右方向を基準として前記供給装置（２００）の左右外側面よりも内側に設けられていることを特徴とする請求項２に記載の移植機。
【請求項４】
後輪回転軸（５１）に動力を伝達する後輪伝動ケース（３０）を備え、
前記水タンクステー（７００）は、前記車体左右方向に延びる、前記後輪伝動ケース（３０）の外側面へ接続された第一水平プレート部材（７１０）と、前記車体前後方向に延びる、前記第一水平プレート部材（７１０）に直交するように前記第一水平プレート部材（７１０）へ接続された第二水平プレート部材（７２０）とを有し、
前記第二水平プレート部材（７２０）は、前記車体前後方向を基準としてスライド可能に前記第一水平プレート部材（７１０）へ接続されており、
載置された前記水タンク（６００）の後部は、前記車体前後方向を基準として前記後輪回転軸（５１）よりも後方にあり、
車体（１０）の後部には、左右一対の駆動後輪（５０）が配置されていることを特徴とする請求項３に記載の移植機。
【請求項５】
前記車体前後方向を基準として前記供給装置（２００）よりも前方に設けられた車体カバー（１１）と、植付けられる前記苗を収容する苗コンテナ（８００）を前記車体カバー（１１）の上方に保持する苗コンテナ保持機構（９００）とを備えることを特徴とする請求項２から４のいずれか１項に記載の移植機。
【発明の詳細な説明】
【技術分野】
【０００１】
本発明は、タマネギ苗などを移植する移植機に関する。
【背景技術】
【０００２】
エンジン、操作ユニット、植付深さ調節機構、タマネギ苗供給テーブル、タマネギ苗植付装置、および鎮圧機構などを備えるタマネギ苗移植機などの移植機が、知られている（たとえば、特許文献１参照）。
【０００３】
車体の前部には、エンジンなどが、左右一対の従動前輪とともに配置されている。
【０００４】
操作ユニットは、作業者が車体の後方を歩きながら車体操向操作を行うための操縦ハンドルの中央部に配置されており、副変速レバーなどを有する。
【０００５】
植付深さ調節機構は、車高を調節することによりタマネギ苗の植付深さを一定に保つためのセンサー板などを有する。
【０００６】
タマネギ苗供給テーブルは、無端チェーンにより車体左右方向に延びるループ状に連結されて周回移動させられる、作業者により補給されたタマネギ苗を収容する二十八個のタマネギ苗収容カップなどを有する。
【０００７】
車体の後部には、車体側面視において８の字状の植付ホッパー移動静軌跡に沿って上下移動させられる、タマネギ苗供給テーブルにより落下供給されたタマネギ苗を植付けるタマネギ苗植付装置、および植付けられたタマネギ苗の周辺の土壌に鎮圧荷重を負荷する鎮圧機構などが、左右一対の駆動後輪とともに配置されている。
【０００８】
タマネギ苗植付ホッパーは、タマネギ苗供給テーブルにより供給されたタマネギ苗を受入れて植付ける、二本の植付条にそれぞれ対応する植付ホッパーである。
【先行技術文献】
【特許文献】
【０００９】
【特許文献１】特開２０１４−１３１５２０号公報
【発明の概要】
【発明が解決しようとする課題】
【００１０】
しかしながら、前述されたこのような従来の移植機においては、狭小な植付条間距離に応じることが必ずしも容易ではない。
【００１１】
本発明は、前述された従来の課題を考慮し、狭小な植付条間距離に応じた植付装置設計寸法を容易に実現することが可能な移植機を提供することを目的とする。
【課題を解決するための手段】
【００１２】
請求項１の発明は、圃場に移植する苗を供給する供給装置（２００）と、前記供給装置（２００）から供給された苗を圃場に植え付ける左右の植付具（３１０，３２０）と、複数の前記左右の植付具（３１０，３２０）で植え付けた苗の側方を各々傾斜姿勢で鎮圧する鎮圧輪（４１１、４１２、４２１、４２２）とを備える移植機において、
前記左右の植付具（３１０，３２０）にそれぞれ対応する左右の鎮圧装置（４１０，４２０）と、車体左側に設けられた左外側鎮圧輪フレーム（４３０）と、車体右側に設けられた右外側鎮圧輪フレーム（４４０）と、前記左外側鎮圧輪フレーム（４３０）と、前記右外側鎮圧輪フレーム（４４０）と、の間に設けられた内側鎮圧輪フレーム（４５０）と、鎮圧輪フレーム連結アーム部材（４９２）とを備え、
前記左右の鎮圧装置（４１０，４２０）の各々は、前記移植物植付具（３１０、３２０）を挟むように車体左右方向を基準として並んで設けられた二個の前記鎮圧輪（４１１、４１２、４２１、４２２）を有し、
前記左右の植付具（３１０，３２０）は傾斜姿勢で配置して植付位置を互いに接近させ、前記鎮圧輪のうち、前記左右の植付具（３１０，３２０）の間に各々配置される左右の内側鎮圧輪（４１１，４２１）の鉛直方向を基準とする傾斜角度を、前記左右の植付具（３１０，３２０）の外側に各々配置される左右の外側鎮圧輪（４１２，４２２）の前記鉛直方向を基準とする傾斜角度よりも小さくし、
前記内側鎮圧輪フレーム（４５０）は、一体的に形成された、前記左外側鎮圧輪フレーム（４３０）、前記右外側鎮圧輪フレーム（４４０）、および前記鎮圧輪フレーム連結アーム部材（４９２）に接続されており、
下方への付勢力を印加するための左右の鎮圧装置付勢スプリング（４７１，４８１）がそれぞれ取付けられた左右の鎮圧装置付勢ロッド（４７０，４８０）の下端部は、前記鎮圧輪フレーム連結アーム部材（４９２）へ接続されており、
前記左右の鎮圧装置付勢ロッド（４７０，４８０）の前記車体左右方向を基準とした中心は、それぞれ、前記左右の植付具（３１０，３２０）がそれぞれ有する左右の苗受入部（３１１，３２１）の前記車体左右方向を基準とした中心と車体背面視において一致することを特徴とする移植機である。
【００１３】
請求項２の発明は、前記左右の植付具（３１０，３２０）の間に前記左右の内側鎮圧輪（４１１，４２１）を装着する一つの前記内側鎮圧輪フレーム（４５０）を設け、
前記左右の内側鎮圧輪（４１１，４２１）は、前記左右の植付具（３１０，３２０）が植え付けた苗の機体内側の土を各々鎮圧する第１内側鎮圧輪（４１１）と第２内側鎮圧輪（４２１）とし、
前記左右の外側鎮圧輪（４１２，４２２）は、前記左右の植付具（３１０，３２０）が植え付けた苗の機体外側の土を各々鎮圧する第１外側鎮圧輪（４１２）と第２外側鎮圧輪（４２２）とし、
前記第１内側鎮圧輪（４１１）と前記第２内側鎮圧輪（４２１）の取付位置は、車体前後方向で異なる位置とし、
前記内側鎮圧輪フレーム（４５０）に前記第１内側鎮圧輪（４１１）を装着する第１内側ステー（４６１）と、前記第２内側鎮圧輪（４２１）を装着する第２内側ステー（４６３）とを設け、
前記第１内側ステー（４６１）と前記第２内側ステー（４６３）は、側面視で取付位置を前後位置に異ならせると共に、背面視で互いに交差する構成とし、
前記第１外側鎮圧輪（４１２）は前記左外側鎮圧輪フレーム（４３０）に取付けられており、前記第２外側鎮圧輪（４２２）は前記右外側鎮圧輪フレーム（４４０）に取付けられており、
車体左側の鎮圧輪ステー（４６２）は前記左の植付具（３１０）の左外側面よりも外側に設けられた前記左外側鎮圧輪フレーム（４３０）に取付けられており、車体右側の鎮圧輪ステー（４６４）は前記右の植付具（３２０）の右外側面よりも外側に設けられた前記右外側鎮圧輪フレーム（４４０）に取付けられており、
前記第１内側ステー（４６１）および前記鎮圧輪ステー（４６４）が、前記鎮圧輪ステー（４６２）および前記第２内側ステー（４６３）よりも前記車体前後方向を基準として前方に設けられており、
前記内側鎮圧輪フレーム（４５０）の右外側面の側から取付けられた、車体左側の前記第１内側ステー（４６１）の取付基部は、前記内側鎮圧輪フレーム（４５０）の左外側面の側から取付けられた、車体右側の前記第２内側ステー（４６３）の取付基部よりも前方に設けられており、
前記第１内側ステー（４６１）は前記第２内側ステー（４６３）と車体背面視において植付条間距離に応じた配置関係で互いに交差することを特徴とする請求項１に記載の移植機である。
【００１４】
請求項３の発明は、植え付けた前記苗の周辺の土壌に供給される水を貯留する水タンク（６００）と、前記水タンク（６００）を載置する水タンクステー（７００）とを備え、
前記水タンクステー（７００）は、前記車体左右方向を基準として前記供給装置（２００）の左右外側面よりも内側に設けられていることを特徴とする請求項２に記載の移植機である。
【００１５】
請求項４の発明は、後輪回転軸（５１）に動力を伝達する後輪伝動ケース（３０）を備え、
前記水タンクステー（７００）は、前記車体左右方向に延びる、前記後輪伝動ケース（３０）の外側面へ接続された第一水平プレート部材（７１０）と、前記車体前後方向に延びる、前記第一水平プレート部材（７１０）に直交するように前記第一水平プレート部材（７１０）へ接続された第二水平プレート部材（７２０）とを有し、
前記第二水平プレート部材（７２０）は、前記車体前後方向を基準としてスライド可能に前記第一水平プレート部材（７１０）へ接続されており、
載置された前記水タンク（６００）の後部は、前記車体前後方向を基準として前記後輪回転軸（５１）よりも後方にあり、
車体（１０）の後部には、左右一対の駆動後輪（５０）が配置されていることを特徴とする請求項３に記載の移植機である。
【００１６】
請求項５の発明は、前記車体前後方向を基準として前記供給装置（２００）よりも前方に設けられた車体カバー（１１）と、植付けられる前記苗を収容する苗コンテナ（８００）を前記車体カバー（１１）の上方に保持する苗コンテナ保持機構（９００）とを備えることを特徴とする請求項２から４のいずれか１項に記載の移植機である。
【００１７】
上記請求項１から請求項５の発明に関連する、第１の関連発明は、移植物を供給する移植物供給装置（２００）と、前記移植物供給装置（２００）により供給された前記移植物を受入れて植付ける、複数本の植付条にそれぞれ対応する複数個の移植物植付具（３１０、３２０）とを備え、複数個の前記移植物植付具（３１０、３２０）の各々は、前記移植物供給装置（２００）により供給された前記移植物を受入れる移植物受入部（３１１、３２１）と、前記移植物受入部（３１１、３２１）により受入れられた前記移植物を植付ける、前記移植物受入部（３１１、３２１）の下方に設けられた移植物植付部（３１２、３２２）と、を有し、複数個の前記移植物植付具（３１０、３２０）は、車体左右方向を基準として並んで配置されており、複数個の前記移植物植付具（３１０、３２０）の内、所定の隣接する二個の前記移植物植付具（３１０、３２０）は、対になっており、対になっている二個の前記移植物植付具（３１０、３２０）が有する前記移植物植付部（３１２、３２２）の下端部同士の間の距離（δ２）は、対になっている二個の前記移植物植付具（３１０、３２０）が有する前記移植物受入部（３１１、３２１）の中心部同士の間の距離（δ１）より小さいことを特徴とする移植機である。
【００１８】
また、第２の関連発明は、植付けられた前記移植物の周辺の土壌を鎮圧する、複数個の前記移植物植付具（３１０、３２０）にそれぞれ対応する複数個の鎮圧装置（４１０、４２０）を備え、複数個の前記鎮圧装置（４１０、４２０）の各々は、前記移植物植付具（３１０、３２０）を挟むように前記車体左右方向を基準として並んで設けられた二個の鎮圧輪（４１１、４１２、４２１、４２２）を有し、対になっている二個の前記移植物植付具（３１０、３２０）にそれぞれ対応する二個の前記鎮圧装置（４１０、４２０）の各々が有する二個の前記鎮圧輪（４１１、４１２、４２１、４２２）の鉛直面に対する傾斜度は、互いに異なることを特徴とする第１の関連発明に記載の移植機である。
【００１９】
また、第３の関連発明は、対になっている二個の前記移植物植付具（３１０、３２０）にそれぞれ対応する二個の前記鎮圧装置（４１０、４２０）が有する四個の前記鎮圧輪（４１１、４１２、４２１、４２２）の内、対になっている二個の前記移植物植付具（３１０、３２０）の間の二個の前記鎮圧輪（４１１、４２１）の前記傾斜度は、残る二個の前記鎮圧輪（４１２、４２２）の前記傾斜度より小さいことを特徴とする第２の関連発明に記載の移植機である。
【００２０】
また、第４の関連発明は、前記鎮圧輪（４１１、４１２、４２１、４２２）に付着した泥土を掻落とす、複数個の前記鎮圧輪（４１１、４１２、４２１、４２２）にそれぞれ対応する複数個のスクレーパー（５１１、５１２、５２１、５２２）を備え、対になっている二個の前記移植物植付具（３１０、３２０）の間の二個の前記鎮圧輪（４１１、４２１）にそれぞれ対応する二個の前記スクレーパー（５１１、５２１）の上下方向を基準とした取付位置は、互いに異なることを特徴とする第２の関連発明に記載の移植機である。
【００２１】
また、第５の関連発明は、車体左側に設けられた左外側鎮圧輪フレーム（４３０）と、車体右側に設けられた右外側鎮圧輪フレーム（４４０）と、前記左外側鎮圧輪フレーム（４３０）と、前記右外側鎮圧輪フレーム（４４０）と、の間に設けられた内側鎮圧輪フレーム（４５０）とを備え、対になっている二個の前記移植物植付具（３１０、３２０）にそれぞれ対応する二個の前記鎮圧装置（４１０、４２０）が有する四個の前記鎮圧輪（４１１、４１２、４２１、４２２）の内、対になっている二個の前記移植物植付具（３１０、３２０）の間の二個の前記鎮圧輪（４１１、４２１）は前記内側鎮圧輪フレーム（４５０）に取付けられており、残る二個の前記鎮圧輪（４１２、４２２）の内、前記車体左側の一個の前記鎮圧輪（４１２）は前記左外側鎮圧輪フレーム（４３０）に取付けられており、前記車体右側の一個の前記鎮圧輪（４２２）は前記右外側鎮圧輪フレーム（４４０）に取付けられており、対になっている二個の前記移植物植付具（３１０、３２０）の間の二個の前記鎮圧輪（４１１、４２１）の車体前後方向を基準とした取付位置は、互いに異なることを特徴とする第２の関連発明に記載の移植機である。
【００２２】
また、第６の関連発明は、前記鎮圧装置（４１０、４２０）を下方に付勢する、複数個の前記鎮圧装置（４１０、４２０）にそれぞれ対応する複数個の鎮圧装置付勢ロッド（４７０、４８０）を備え、複数個の前記鎮圧装置付勢ロッド（４７０、４８０）の前記車体左右方向を基準とした中心は、それぞれ、複数個の前記移植物受入部（３１１、３２１）の前記車体左右方向を基準とした中心と車体背面視において一致することを特徴とする第２の関連発明に記載の移植機である。
また、第７の関連発明は、植付けられた前記移植物の周辺の土壌に供給される水を貯留する水タンク（６００）と、前記水タンク（６００）を載置する水タンクステー（７００）とを備え、前記水タンクステー（７００）は、前記車体左右方向を基準として前記移植物供給装置（２００）の左右外側面よりも内側に設けられていることを特徴とする第１の関連発明に記載の移植機である。
また、第８の関連発明は、後輪回転軸（５１）に動力を伝達する後輪伝動ケース（３０）を備え、前記水タンクステー（７００）は、前記車体左右方向に延びる、前記後輪伝動ケース（３０）の外側面へ接続された第一水平プレート部材（７１０）と、車体前後方向に延びる、前記第一水平プレート部材（７１０）に直交するように前記第一水平プレート部材（７１０）へ接続された第二水平プレート部材（７２０）とを有し、前記第二水平プレート部材（７２０）は、前記車体前後方向を基準としてスライド可能に前記第一水平プレート部材（７１０）へ接続されており、載置された前記水タンク（６００）の後部は、前記車体前後方向を基準として前記後輪回転軸（５１）よりも後方にあることを特徴とする第７の関連発明に記載の移植機である。
また、第９の関連発明は、車体前後方向を基準として前記移植物供給装置（２００）よりも前方に設けられた車体カバー（１１）と、植付けられる前記移植物を収容する移植物コンテナ（８００）を前記車体カバー（１１）の上方に保持する移植物コンテナ保持機構（９００）とを備えることを特徴とする第１の関連発明に記載の移植機である。
また、第１０の関連発明は、前記移植物コンテナ保持機構（９００）は、前記移植物コンテナ（８００）を係止し支持する、前記移植物供給装置（２００）の前側面に取付けられたプレート部材（９１０）を有することを特徴とする第９の関連発明に記載の移植機である。
また、第１１の関連発明は、前記移植物コンテナ保持機構（９００）は、前記移植物コンテナ（８００）を係止する、前記移植物供給装置（２００）の前側面に取付けられたボルト（９２１）と、前記移植物コンテナ（８００）を支持する、前記車体カバー（１１）の上側面に設けられたリブ（９２２）と、を有することを特徴とする第９の関連発明に記載の移植機である。
【発明の効果】
【００２３】
請求項１の発明により、左右の植付具（３１０，３２０）の植付位置が互いに接近するので、植付条間を狭くすることができる。
また、左右の外側鎮圧輪（４１２，４２２）と左右の内側鎮圧輪（４１１，４２１）が左右の植付具（３１０，３２０）の苗の植え付けに干渉することを防止できるので、植え付けた苗の周辺の土壌が確実に鎮圧される。
また、左右の鎮圧装置付勢ロッド（４７０，４８０）の車体左右方向を基準とした中心は、それぞれ、左右の苗受入部（３１１，３２１）の車体左右方向を基準とした中心と車体背面視において一致することにより、上下移動する鎮圧輪の間の相互作用に起因する鎮圧荷重の大きな変動が発生する恐れを低減することが可能である。
【００２４】
請求項２の発明により、請求項１の発明の効果に加えて、左右の植付具（３１０，３２０）の植付位置と干渉しない位置に左右の内側鎮圧輪（４１１，４２１）を配置することができるので、植付条間を狭くしても植え付けた苗の周辺の土壌が確実に鎮圧される。
【００２５】
また、請求項１の発明の効果に加えて、第１内側鎮圧輪（４１１）と第２内側鎮圧輪（４２１）の取付位置が車体前後方向で異なることにより、植え付けた苗の内側及び外側の土壌が確実に鎮圧される位置に第１内側鎮圧輪（４１１）と第２内側鎮圧輪（４２１）を配置することができるので、植付条間を狭くしても植え付けた苗の周辺の土壌が確実に鎮圧される。
【００２６】
また、請求項１の発明の効果に加えて、第１内側鎮圧輪（４１１）と第２内側鎮圧輪（４２１）の取付位置を確実に車体前後方向で異なる位置とすることができる。
また、請求項１の発明の効果に加えて、左外側鎮圧輪フレーム（４３０）、右外側鎮圧輪フレーム（４４０）、および内側鎮圧輪フレーム（４５０）と、の間の干渉が発生して苗植付が妨げられる恐れがほとんどないのみならず、前述の如き望ましい鎮圧輪レイアウトの実現が妨げられない。」
また、請求項１の発明の効果に加えて、左右の植付具（３１０，３２０）の間の左右の内側鎮圧輪（４１１，４２１）の間の干渉が発生する恐れはほとんどないので、前述の如き望ましい鎮圧輪レイアウトの実現が妨げられない。」
【００２７】
請求項３の発明により、請求項２の発明の効果に加えて、水タンクステー（７００）は、車体左右方向を基準として供給装置（２００）の左右外側面よりも内側に設けられていることにより、水タンクステー（７００）と植え付けた苗または障害物などとの間の干渉が発生する恐れを低減することが可能である。
請求項４の発明により、請求項３の発明の効果に加えて、載置された水タンク（６００）の後部は、車体前後方向を基準として後輪回転軸（５１）よりも後方にあることにより、作業者に要求される旋回時の車体上げ力を軽減することが可能である。
請求項５の発明により、請求項２から４のいずれか１項の発明の効果に加えて、植付けられる苗を収容する苗コンテナ（８００）を車体カバー（１１）の上方に保持することにより、苗コンテナ（８００）から予備的な苗を容易に補充することが可能である。
【００２８】
上記の請求項１から請求項５の発明の効果に加えて、第１の関連発明により、
対になっている二個の移植物植付具（３１０、３２０）が有する移植物植付部（３１２、３２２）の下端部同士の間の距離（δ２）は、対になっている二個の移植物植付具（３１０、３２０）が有する移植物受入部（３１１、３２１）の中心部同士の間の距離（δ１）より小さいことにより、狭小な植付条間距離に応じた植付装置設計寸法を容易に実現することが可能である。
【００２９】
また、第２の関連発明により、第１の関連発明の効果に加えて、対になっている二個の移植物植付具（３１０、３２０）にそれぞれ対応する二個の鎮圧装置（４１０、４２０）の各々が有する二個の鎮圧輪（４１１、４１２、４２１、４２２）の鉛直面に対する傾斜度は、互いに異なることにより、土壌が確実に鎮圧される鎮圧輪レイアウトを実現することが可能である。
【００３０】
また、第３の関連発明により、第２の関連発明の効果に加えて、対になっている二個の移植物植付具（３１０、３２０）の間の二個の鎮圧輪（４１１、４２１）の傾斜度は、残る二個の鎮圧輪（４１２、４２２）の傾斜度より小さいことにより、土壌が確実に鎮圧される鎮圧輪レイアウトを簡素な構成で実現することが可能である。
【００３１】
また、第４の関連発明により、第２の関連発明の効果に加えて、対になっている二個の移植物植付具（３１０、３２０）の間の二個の鎮圧輪（４１１、４２１）にそれぞれ対応する二個のスクレーパー（５１１、５２１）の上下方向を基準とした取付位置は、互いに異なることにより、土壌が確実に鎮圧される鎮圧輪レイアウトを簡素な構成で実現することが可能である。
【００３２】
また、第５の関連発明により、第２の関連発明の効果に加えて、対になっている二個の移植物植付具（３１０、３２０）の間の二個の鎮圧輪（４１１、４２１）の車体前後方向を基準とした取付位置は、互いに異なることにより、土壌が確実に鎮圧される鎮圧輪レイアウトを簡素な構成で実現することが可能である。
【００３３】
また、第６の関連発明によって、第２の関連発明の効果に加えて、複数個の鎮圧装置付勢ロッド（４７０、４８０）の車体左右方向を基準とした中心は、それぞれ、複数個の移植物受入部（３１１、３２１）の車体左右方向を基準とした中心と車体背面視において一致することにより、上下移動する鎮圧輪の間の相互作用に起因する鎮圧荷重の大きな変動が発生する恐れを低減することが可能である。
また、第７の関連発明によって、第１の関連発明の効果に加えて、水タンクステー（７００）は、車体左右方向を基準として移植物供給装置（２００）の左右外側面よりも内側に設けられていることにより、水タンクステー（７００）と植付けられた移植物または障害物などとの間の干渉が発生する恐れを低減することが可能である。
また、第８の関連発明によって、第７の関連発明の効果に加えて、載置された水タンク（６００）の後部は、車体前後方向を基準として後輪回転軸（５１）よりも後方にあることにより、作業者に要求される旋回時の車体上げ力を軽減することが可能である。
また、第９の関連発明によって、第１の関連発明の効果に加えて、植付けられる移植物を収容する移植物コンテナ（８００）を車体カバー（１１）の上方に保持することにより、移植物コンテナ（８００）から予備的な移植物を容易に補充することが可能である。
また、第１０の関連発明によって、第９の関連発明の効果に加えて、移植物コンテナ（８００）を係止し支持する、移植物供給装置（２００）の前側面に取付けられたプレート部材（９１０）を有することにより、移植物コンテナ（８００）を容易に保持させることが可能である。
また、第１１の関連発明によって、第９の関連発明の効果に加えて、移植物コンテナ（８００）を係止する、移植物供給装置（２００）の前側面に取付けられたボルト（９２１）と、移植物コンテナ（８００）を支持する、車体カバー（１１）の上側面に設けられたリブ（９２２）と、を有することにより、移植物コンテナ（８００）を容易に保持させることが可能である。
【図面の簡単な説明】
【００３４】
【図１】本発明における実施の形態のタマネギ苗移植機の左側面図
【図２】本発明における実施の形態のタマネギ苗移植機の上面図
【図３】本発明における実施の形態のタマネギ苗移植機の背面図
【図４】本発明における実施の形態のタマネギ苗移植機のタマネギ苗植付装置近傍の部分背面図
【図５】（ａ）本発明における実施の形態のタマネギ苗移植機の鎮圧機構近傍の模式的な部分斜視図（その一）、（ｂ）本発明における実施の形態のタマネギ苗移植機の鎮圧機構近傍の模式的な部分斜視図（その二）
【図６】本発明における実施の形態のタマネギ苗移植機の水タンク近傍の部分左側面図
【図７】本発明における実施の形態のタマネギ苗移植機の水タンクステー近傍の模式的な部分斜視図
【図８】本発明における実施の形態のタマネギ苗移植機の水タンク近傍の模式的な部分斜視図
【図９】本発明における実施の形態のタマネギ苗移植機のタマネギ苗コンテナ近傍の模式的な部分斜視図
【図１０】本発明における別の実施の形態のタマネギ苗移植機の左側面図
【発明を実施するための形態】
【００３５】
以下、図面を参照しながら、本発明における実施の形態について詳細に説明する。
【００３６】
はじめに、図１および２を参照しながら、本発明における移植機の一例である本実施の形態のタマネギ苗移植機の構成および動作について具体的に説明する。
【００３７】
ここに、図１は本発明における実施の形態のタマネギ苗移植機の左側面図であり、図２は本発明における実施の形態のタマネギ苗移植機の上面図である。
【００３８】
図１においては、以下の説明がより理解しやすくなるように、水タンク６００などは透視的に図示されている。
【００３９】
そして、図２においては、水タンク６００、および副変速レバー６１などは図示されていない。
【００４０】
本実施の形態のタマネギ苗移植機は、エンジン２０、操作ユニット６０、植付深さ調節機構１００、タマネギ苗供給テーブル２００、タマネギ苗植付装置３００、および鎮圧機構４００などを備える。
【００４１】
車体１０の前部には、エンジン２０などが、左右一対の従動前輪４０とともに配置されている。
【００４２】
操作ユニット６０は、作業者が車体１０の後方を歩きながら車体操向操作を行うための操縦ハンドル７０の中央部に配置されており、副変速レバー６１などを有する。
【００４３】
植付深さ調節機構１００は、車高を調節することによりタマネギ苗の植付深さを一定に保つためのセンサー板１１０などを有する。
【００４４】
タマネギ苗供給テーブル２００は、無端チェーンにより車体左右方向に延びるループ状に連結されて周回移動させられる、作業者により補給されたタマネギ苗を収容する二十八個のタマネギ苗収容カップ２１０などを有する。
【００４５】
車体１０の後部には、車体側面視において８の字状の植付ホッパー移動静軌跡に沿って上下移動させられる、タマネギ苗供給テーブル２００により落下供給されたタマネギ苗を植付けるタマネギ苗植付装置３００、および植付けられたタマネギ苗の周辺の土壌に鎮圧荷重を負荷する鎮圧機構４００などが、左右一対の駆動後輪５０とともに配置されている。
【００４６】
つぎに、図１〜５を主として参照しながら、本実施の形態のタマネギ苗移植機の構成および動作についてより具体的に説明する。
【００４７】
ここに、図３は本発明における実施の形態のタマネギ苗移植機の背面図であり、図４は本発明における実施の形態のタマネギ苗移植機のタマネギ苗植付装置３００近傍の部分背面図であり、図５（ａ）および（ｂ）は本発明における実施の形態のタマネギ苗移植機の鎮圧機構４００近傍の模式的な部分斜視図（その一および二）である。
【００４８】
図３および４においては、以下の説明がより理解しやすくなるように、内側鎮圧輪フレーム４５０などは透視的に図示されている。
【００４９】
そして、図３および４においては、水タンク６００、および水タンクステー７００などは図示されていない。
【００５０】
タマネギ苗供給テーブル２００は、タマネギ苗を供給する供給テーブルである。タマネギ苗は、本発明における移植物の一例である。タマネギ苗供給テーブル２００は、本発明における移植物供給装置の一例である。
【００５１】
タマネギ苗植付ホッパー３１０および３２０は、タマネギ苗供給テーブル２００により供給されたタマネギ苗を受入れて植付ける、二本の植付条にそれぞれ対応する植付ホッパーである。タマネギ苗植付ホッパー３１０および３２０は、本発明における移植物植付具の一例である。
【００５２】
タマネギ苗植付ホッパー３１０は、タマネギ苗供給テーブル２００により供給されたタマネギ苗を受入れるタマネギ苗受入部３１１と、タマネギ苗受入部３１１により受入れられたタマネギ苗を植付ける、タマネギ苗受入部３１１の下方に設けられたタマネギ苗植付部３１２と、を有する。タマネギ苗植付ホッパー３２０は、タマネギ苗供給テーブル２００により供給されたタマネギ苗を受入れるタマネギ苗受入部３２１と、タマネギ苗受入部３２１により受入れられたタマネギ苗を植付ける、タマネギ苗受入部３２１の下方に設けられたタマネギ苗植付部３２２と、を有する。タマネギ苗受入部３１１および３２１は、本発明における移植物受入部の一例である。タマネギ苗植付部３１２および３２２は、本発明における移植物植付部の一例である。
【００５３】
タマネギ苗植付ホッパー３１０および３２０は、車体左右方向を基準として並んで配置されている。
【００５４】
タマネギ苗植付部３１２および３２２の下端部同士の間の距離δ２は、タマネギ苗受入部３１１および３２１の中心部同士の間の距離δ１より小さい。
【００５５】
本実施の形態においては、タマネギ苗植付装置３００の全体的な外観形状は、距離δ２が距離δ１より小さくなるように車体左右方向を基準とした中心に向かって下窄まりな形状である。たとえば、距離δ１は２５センチメートルであり、距離δ２は１７センチメートルである。
【００５６】
このため、タマネギ苗供給テーブル２００により供給されたタマネギ苗を確実に受入れるための微妙な設計寸法が必要とされるタマネギ苗受入部３１１および３２１の中心部同士の間の距離δ１、およびタマネギ苗収容カップ２１０の配置レイアウトおよび形状などは従来通りに踏襲されるが、タマネギ苗植付部３１２および３２２の下端部同士の間の距離δ２は小さくされるので、狭小な植付条間距離に応じた植付装置設計寸法が容易に実現される。
【００５７】
鎮圧装置４１０および４２０は、植付けられたタマネギ苗の周辺の土壌を鎮圧する、タマネギ苗植付ホッパー３１０および３２０にそれぞれ対応する鎮圧装置である。
【００５８】
鎮圧装置４１０は、タマネギ苗植付ホッパー３１０を挟むように車体左右方向を基準として並んで設けられた鎮圧輪４１１および４１２を有する。鎮圧装置４２０は、タマネギ苗植付ホッパー３２０を挟むように車体左右方向を基準として並んで設けられた鎮圧輪４２１および４２２を有する。
【００５９】
鎮圧輪４１１および４１２の鉛直面に対する傾斜度は、互いに異なる。鎮圧輪４２１および４２２の鉛直面に対する傾斜度は、互いに異なる。
【００６０】
鎮圧輪４１１、４１２、４２１および４２２の内、タマネギ苗植付ホッパー３１０および３２０の間の鎮圧輪４１１および４２１の傾斜度は、残る鎮圧輪４１２および４２２の傾斜度より小さい。
【００６１】
本実施の形態においては、鎮圧輪４１１および４１２の鎮圧輪ステー４６１および４６２は車体背面視においてＶ字状であるようにタマネギ苗植付ホッパー３１０に沿って傾斜させられており、鎮圧輪４２１および４２２の鎮圧輪ステー４６３および４６４は車体背面視においてＶ字状であるようにタマネギ苗植付ホッパー３２０に沿って傾斜させられている。たとえば、鎮圧輪４１１および４１２の鉛直面に対する傾斜度は１０度であり、鎮圧輪４２１および４２２の鉛直面に対する傾斜度は２７度である。そして、鎮圧輪４１１、４１２、４２１および４２２の接地箇所は同じ高さの水平面に含まれているが、タマネギ苗植付ホッパー３１０および３２０の間の鎮圧輪４１１および４２１の独立回転可能な鎮圧輪回転軸が鎮圧輪ステー４６１および４６３にそれぞれ取付けられる上下方向を基準とした取付位置は、残る鎮圧輪４１２および４２２の独立回転可能な鎮圧輪回転軸が鎮圧輪ステー４６１および４６３にそれぞれ取付けられる上下方向を基準とした取付位置とは、鎮圧輪４１２および４２２が鎮圧輪４１１および４２１に比べて大きく倒れているように異なる。
【００６２】
このため、タマネギ苗植付部３１２および３２２の下端部同士の間の距離δ２が小さくても、植付ホッパー移動静軌跡に沿って上下移動させられるタマネギ苗植付装置３００と、鎮圧装置４１０と、の間の干渉が発生してタマネギ苗植付が妨げられる恐れがほとんどないのみならず、植付けられたタマネギ苗の周辺の土壌が確実に鎮圧される鎮圧輪レイアウトが実現される。
【００６３】
スクレーパー５１１、５１２、５２１および５２２は、鎮圧輪４１１、４１２、４２１および４２２に付着した泥土を掻落とす、鎮圧輪４１１、４１２、４２１および４２２にそれぞれ対応するスクレーパーである。
【００６４】
タマネギ苗植付ホッパー３１０および３２０の間の鎮圧輪４１１および４２１にそれぞれ対応するスクレーパー５１１および５２１の上下方向を基準とした取付位置は、互いに異なる。
【００６５】
本実施の形態においては、スクレーパー５１１、５１２、５２１および５２２は鎮圧輪ステー４６１〜４６４にそれぞれ取付けられるが、スクレーパー５２１が鎮圧輪ステー４６３に取付けられる上下方向を基準とした取付位置は、スクレーパー５１１、５１２および５２２が鎮圧輪ステー４６１、４６２および４６４にそれぞれ取付けられる上下方向を基準とした取付位置より低い。
【００６６】
このため、スクレーパー５１１および５２１の間には段差が生じるので、泥土がスクレーパー５１１および５２１に溜まりにくい。そして、タマネギ苗植付部３１２および３２２の下端部同士の間の距離δ２が小さくても、タマネギ苗植付ホッパー３１０および３２０の間の鎮圧輪４１１および４２１にそれぞれ対応するスクレーパー５１１および５２１の間の干渉が発生する恐れはほとんどないので、前述の如き望ましい鎮圧輪レイアウトの実現が妨げられない。
【００６７】
左外側鎮圧輪フレーム４３０は、車体左側に設けられた鎮圧輪フレームである。
【００６８】
右外側鎮圧輪フレーム４４０は、車体右側に設けられた鎮圧輪フレームである。
【００６９】
内側鎮圧輪フレーム４５０は、左外側鎮圧輪フレーム４３０と、右外側鎮圧輪フレーム４４０と、の間に設けられた鎮圧輪フレームである。
【００７０】
鎮圧輪４１１、４１２、４２１および４２２の内、タマネギ苗植付ホッパー３１０および３２０の間の鎮圧輪４１１および４２１は内側鎮圧輪フレーム４５０に取付けられており、残る鎮圧輪４１２および４２２の内、車体左側の鎮圧輪４１２は左外側鎮圧輪フレーム４３０に取付けられており、車体右側の鎮圧輪４２２は右外側鎮圧輪フレーム４４０に取付けられている。
【００７１】
本実施の形態においては、鎮圧輪ステー４６１および４６３は内側鎮圧輪フレーム４５０に取付けられており、車体左側の鎮圧輪ステー４６２はタマネギ苗植付ホッパー３１０の左外側面よりも外側に設けられた左外側鎮圧輪フレーム４３０に取付けられており、車体右側の鎮圧輪ステー４６４はタマネギ苗植付ホッパー３２０の右外側面よりも外側に設けられた右外側鎮圧輪フレーム４４０に取付けられている。そして、左外側鎮圧輪フレーム４３０、右外側鎮圧輪フレーム４４０、および内側鎮圧輪フレーム４５０は、車体左右方向に延びる、鎮圧輪４１１、４１２、４２１および４２２よりも前方に設けられた鎮圧輪フレーム回動シャフト部材４９１へ接続されており、車体左右方向に延びる、鎮圧輪４１１、４１２、４２１および４２２よりも後方に設けられた鎮圧輪フレーム連結アーム部材４９２へ接続されているが、より具体的には、内側鎮圧輪フレーム４５０が、一体的に形成された、左外側鎮圧輪フレーム４３０、右外側鎮圧輪フレーム４４０、および鎮圧輪フレーム連結アーム部材４９２に溶接を利用して接続されている。さらに、左外側鎮圧輪フレーム４３０、右外側鎮圧輪フレーム４４０、内側鎮圧輪フレーム４５０、および鎮圧輪フレーム回動シャフト部材４９１は、タマネギ苗植付装置３００に動力を伝達する植付装置伝動ケースなどよりも下方に設けられている。
【００７２】
このため、植付ホッパー移動静軌跡に沿って上下移動させられるタマネギ苗植付装置３００と、左外側鎮圧輪フレーム４３０、右外側鎮圧輪フレーム４４０、内側鎮圧輪フレーム４５０、および鎮圧輪フレーム回動シャフト部材４９１と、の間の干渉が発生してタマネギ苗植付が妨げられる恐れがほとんどないのみならず、前述の如き望ましい鎮圧輪レイアウトの実現が妨げられない。
【００７３】
タマネギ苗植付ホッパー３１０および３２０の間の鎮圧輪４１１および４２１の車体前後方向を基準とした取付位置は、互いに異なる。
【００７４】
本実施の形態においては、鎮圧輪ステー４６１および４６４が、鎮圧輪ステー４６２および４６３よりも車体前後方向を基準として前方に設けられている。そして、内側鎮圧輪フレーム４５０の右外側面の側から取付けられた、車体左側の鎮圧輪ステー４６１の取付基部は、内側鎮圧輪フレーム４５０の左外側面の側から取付けられた、車体右側の鎮圧輪ステー４６３の取付基部よりも前方に設けられており、鎮圧輪ステー４６１は鎮圧輪ステー４６３と車体背面視において狭小な植付条間距離に応じたコンパクトな配置関係で互いに交差する。
【００７５】
このため、タマネギ苗植付部３１２および３２２の下端部同士の間の距離δ２が小さくても、タマネギ苗植付ホッパー３１０および３２０の間の鎮圧輪４１１および４２１の間の干渉が発生する恐れはほとんどないので、前述の如き望ましい鎮圧輪レイアウトの実現が妨げられない。
【００７６】
鎮圧装置付勢ロッド４７０および４８０は、鎮圧装置４１０および４２０を下方に付勢する、鎮圧装置４１０および４２０にそれぞれ対応するロッドである。
【００７７】
本実施の形態においては、下方への付勢力を印加するための鎮圧装置付勢スプリング４７１および４８１がそれぞれ取付けられた鎮圧装置付勢ロッド４７０および４８０の下端部が、鎮圧輪フレーム連結アーム部材４９２へ接続されている。
【００７８】
鎮圧装置付勢ロッド４７０および４８０の車体左右方向を基準とした中心は、それぞれ、タマネギ苗受入部３１１および３２１の車体左右方向を基準とした中心と車体背面視において一致する。
【００７９】
このため、鎮圧装置４１０が有する鎮圧輪４１１および４１２は鎮圧装置付勢ロッド４７０により均等に付勢され、鎮圧装置４２０が有する鎮圧輪４２１および４２２は鎮圧装置付勢ロッド４８０により均等に付勢されるので、圃場面の凹凸などにより上下移動する鎮圧輪４１１、４１２、４２１および４２２の間の相互作用に起因する鎮圧荷重の大きな変動が発生する恐れはほとんどない。
【００８０】
もちろん、鎮圧装置付勢ロッドの個数は、本実施の形態においては２であるが、１であってもよいし、３以上であってもよい。
【００８１】
鎮圧装置付勢ロッドの個数が１である変形例の実施の形態においては、鎮圧装置付勢スプリングの個数も削減されて１であるが、鎮圧輪４１１、４１２、４２１および４２２の間の相互作用に起因する鎮圧荷重の大きな変動が発生しにくいように、このような単一の鎮圧装置付勢スプリングが取付けられた鎮圧装置付勢ロッドの車体左右方向を基準とした中心は車体１０の車体左右方向を基準とした中心と車体背面視において一致することが望ましい。
【００８２】
もちろん、タマネギ苗植付ホッパーの個数は、本実施の形態においては２であるが、３以上であってもよい。
【００８３】
要するに、複数本の植付条にそれぞれ対応する複数個のタマネギ苗植付ホッパーの内、所定の隣接する二個のタマネギ苗植付ホッパーは、対になっており、対になっている二個のタマネギ苗植付ホッパーが有するタマネギ苗植付部の下端部同士の間の距離は、対になっている二個のタマネギ苗植付ホッパーが有するタマネギ苗受入部の中心部同士の間の距離より小さければよい。
【００８４】
なお、対になっている二個のタマネギ苗植付ホッパーにそれぞれ対応する二個の鎮圧装置の各々が有する二個の鎮圧輪の鉛直面に対する傾斜度は、互いに異なることが望ましい。
【００８５】
また、対になっている二個のタマネギ苗植付ホッパーにそれぞれ対応する二個の鎮圧装置が有する四個の鎮圧輪の内、対になっている二個のタマネギ苗植付ホッパーの間の二個の鎮圧輪の傾斜度は、残る二個の鎮圧輪の傾斜度より小さいことが望ましい。
【００８６】
また、対になっている二個のタマネギ苗植付ホッパーの間の二個の鎮圧輪にそれぞれ対応する二個のスクレーパーの上下方向を基準とした取付位置は、互いに異なることが望ましい。
【００８７】
また、複数個の鎮圧装置付勢ロッドの車体左右方向を基準とした中心は、それぞれ、複数個のタマネギ苗受入部の車体左右方向を基準とした中心と車体背面視において一致することが望ましい。
【００８８】
つぎに、本実施の形態のタマネギ苗移植機の構成および動作についてさらにより具体的に説明する。
【００８９】
（Ａ１）図１および６を主として参照しながら、水タンク６００に関連する構成および動作について具体的に説明する。
【００９０】
ここに、図６は、本発明における実施の形態のタマネギ苗移植機の水タンク６００近傍の部分左側面図である。
【００９１】
水タンク６００は、植付けられたタマネギ苗の周辺の土壌に供給される水を貯留するタンクである。
【００９２】
水タンクステー７００は、水タンク６００を載置するステーである。
【００９３】
水タンクステー７００は、車体左右方向を基準としてタマネギ苗供給テーブル２００の左右外側面よりも内側に設けられている。
【００９４】
このため、水タンクステー７００の車体左右方向を基準とした幅はタマネギ苗供給テーブル２００の車体左右方向を基準とした幅と同様に大きくなりすぎないので、水タンクステー７００の収納性が向上され、水タンクステー７００と植付けられたタマネギ苗または障害物などとの間の干渉が発生する恐れはほとんどない。
【００９５】
もちろん、水タンクステーは、本実施の形態においては車体左側に設けられているが、車体右側に設けられていてもよいし、車体左側および車体右側に設けられていてもよい。
【００９６】
後輪伝動ケース３０は、後輪回転軸５１に動力を伝達する伝動ケースである。
【００９７】
本発明における実施の形態のタマネギ苗移植機の水タンクステー７００近傍の模式的な部分斜視図である図７などに示されているように、水タンクステー７００は、第一水平プレート部材７１０と、第二水平プレート部材７２０と、を有する。
【００９８】
第一水平プレート部材７１０は、車体左右方向に延びる、後輪伝動ケース３０の外側面へ接続されたプレート部材である。
【００９９】
本実施の形態においては、第一水平プレート部材７１０は、左側立上がり部７１０ａと、本体水平部７１０ｂと、右側立上がり部７１０ｃと、脚部７１０ｄと、を有するが、より厳密には、本体水平部７１０ｂは僅かに後下がりである。そして、脚部７１０ｄの下端部は後輪伝動ケース３０よりも内側に設けられている組付けプレート部材に締結部材を利用して接続されており、第一水平プレート部材７１０は前述の如く後輪伝動ケース３０の外側面へ接続されている。
【０１００】
このため、チェーンケースとも呼ばれる後輪伝動ケース３０は堅牢であるので、水タンクステー７００の取付け強度が十分に確保される。
【０１０１】
第二水平プレート部材７２０は、車体前後方向に延びる、第一水平プレート部材７１０に直交するように第一水平プレート部材７１０へ接続されたプレート部材である。
【０１０２】
本実施の形態においては、第二水平プレート部材７２０は、前側立上がり部７２０ａと、本体水平部７２０ｂと、後側立上がり部７２０ｃと、を有するが、より厳密には、本体水平部７２０ｂは僅かに後下がりである。
【０１０３】
第二水平プレート部材７２０は、車体前後方向を基準としてスライド可能に第一水平プレート部材７１０へ接続されている。
【０１０４】
本実施の形態においては、本体水平部７２０ｂが本体水平部７１０ｂの下側面に設けられた車体前後方向に延びるスライドガイド溝に嵌込まれており、第二水平プレート部材７２０は前述の如くスライド可能に第一水平プレート部材７１０へ接続されている。
【０１０５】
このため、作業者は、第二水平プレート部材７２０をスライドさせて、水タンクステー７００に水タンク６００を容易に載置することができる。そして、作業者は、車体前後方向を基準として水タンク６００の重心位置を調節することができる。
【０１０６】
載置された水タンク６００の後部は、車体前後方向を基準として後輪回転軸５１よりも後方にある。
【０１０７】
このため、第二水平プレート部材７２０が前方にスライドされている場合でも、水タンク６００の重心位置は旋回支点を与える後輪回転軸５１よりも大きく前方にはこないので、車体１０の後方を歩きながら車体操向操作を行う作業者に要求される旋回時の車体上げ力が軽減される。
【０１０８】
もちろん、水タンク６００は、本実施の形態においては後部が後輪回転軸５１よりも後方にあるが、中心部が後輪回転軸５１よりも後方にあってもよいし、前部が後輪回転軸５１よりも後方にあってもよい。
【０１０９】
プラスチック製ホース部材を利用して構成された水ホース６１０は、水がポンプ装置により供給されるように、水出口端部の側がタマネギ苗植付部３１２および３２２の上端部近傍へ接続されている。
【０１１０】
本発明における実施の形態のタマネギ苗移植機の水タンク６００近傍の模式的な部分斜視図である図８に示されているように、水ホース６１０は、水入口端部の側がプラスチック製タンク部材を利用して構成された水タンク６００の水ホース挿入孔６００ａへ挿入される。
【０１１１】
本実施の形態においては、水ホース６１０の水入口端部には、ステンレス鋼製メッシュ部材を利用して構成された水ホースフィルター６１２が鉄めっきクランプ部材を利用して構成された水ホースクランプ６１１により接続されている。そして、水ホースフィルター６１２と水ホースクランプ６１１との間の異種金属間電位差に起因する錆の発生を抑制する水ホース絶縁体６１３が、装着されている。
【０１１２】
（Ａ２）図１を主として参照しながら、タマネギ苗コンテナ８００に関連する構成および動作について具体的に説明する。
【０１１３】
車体カバー１１は、車体前後方向を基準としてタマネギ苗供給テーブル２００よりも前方に設けられたカバーである。
【０１１４】
タマネギ苗コンテナ保持機構９００は、植付けられるタマネギ苗を収容するタマネギ苗コンテナ８００を車体カバー１１の上方に保持する保持機構である。タマネギ苗コンテナ８００は、本発明における移植物コンテナの一例である。タマネギ苗コンテナ保持機構９００は、本発明における移植物コンテナ保持機構の一例である。
【０１１５】
タマネギ苗コンテナ保持機構９００は、プレート部材９１０を有する。
【０１１６】
プレート部材９１０は、タマネギ苗コンテナ８００を係止し支持する、タマネギ苗供給テーブル２００の前側面に取付けられたプレート部材である。
【０１１７】
本実施の形態においては、本発明における実施の形態のタマネギ苗移植機のタマネギ苗コンテナ８００近傍の模式的な部分斜視図である図９に示されているように、プレート部材９１０は、左側コンテナ支持水平部９１０ａと、連結水平部９１０ｂと、右側コンテナ支持水平部９１０ｃと、コンテナ係止部９１０ｄと、を有するが、より具体的には、コンテナ係止部９１０ｄが、一体的に形成された、左側コンテナ支持水平部９１０ａ、連結水平部９１０ｂ、および右側コンテナ支持水平部９１０ｃに溶接を利用して接続されている。そして、コンテナ係止部９１０ｄのポール部は車体１０の側に締結部材を利用して接続されており、フック状であるコンテナ係止部９１０ｄの上端部がタマネギ苗コンテナ８００の左右前後外側面にそれぞれ設けられた何れかのコンテナ係止孔８００ａへ挿入されるとともに、前方に突出したフォーク状である、左側コンテナ支持水平部９１０ａ、および右側コンテナ支持水平部９１０ｃが下方からタマネギ苗コンテナ８００を支持し、タマネギ苗コンテナ保持機構９００は前述の如くタマネギ苗コンテナ８００を車体カバー１１の上方に保持する。
【０１１８】
このため、ボンネットとも呼ばれる車体カバー１１の上方に保持されるタマネギ苗コンテナ８００の位置は車体１０の後方を歩きながら車体操向操作を行う作業者の手が届きやすい位置であるので、作業者はタマネギ苗植付装置３００へタマネギ苗コンテナ８００から予備的なタマネギ苗を容易に補充することができる。そして、作業者は、左右外側面にそれぞれ設けられたコンテナ係止孔８００ａへ指を挿入することによりタマネギ苗コンテナ８００を把持して、テーブルフレーム２２０などを利用して取付けられたプレート部材９１０にタマネギ苗コンテナ８００を容易に係止させることができる。
【０１１９】
なお、タマネギ苗コンテナ保持機構９００は、本実施の形態においてはプレート部材９１０を有するが、本発明における別の実施の形態のタマネギ苗移植機の左側面図である図１０に示されているように、タマネギ苗コンテナ８００を係止する、タマネギ苗供給テーブル２００の前側面に取付けられたボルト９２１と、タマネギ苗コンテナ８００を支持する、車体カバー１１の上側面に設けられたリブ９２２と、を有してもよい。
【０１２０】
タマネギ苗コンテナ保持機構９００がボルト９２１と、リブ９２２と、を有する別の実施の形態においては、作業者がテーブルフレーム２２０などを利用して取付けられたボルト９２１を容易に挿通することができるように、タマネギ苗コンテナ８００の少なくとも後外側面が格子状であるメッシュ部材を利用して構成されており、タマネギ苗コンテナ８００が安定的に保持されるように、複数個のボルト９２１が少なくとも上下一対で間隔をおいて設けられており、複数個のリブ９２２が少なくとも左右一対で間隔をおいて設けられていることが望ましい。
【０１２１】
（Ｂ１）図２を主として参照しながら、ガイドパイプ８０に関連する構成および動作について具体的に説明する。
【０１２２】
車体１０のメインフレームよりも後側に設けられたガイドパイプ８０には、車体１０の後方を歩きながら車体操向操作を行う作業者が姿勢を保持するために把持するガイドパイプグリップ８１が接続されている。
【０１２３】
本実施の形態においては、二個のガイドパイプグリップ８１がガイドパイプ８０の車体左右方向を基準とした両端部にそれぞれ接続されているので、作業者が何れの側を歩いている場合でも、ガイドパイプグリップ８１は把持しやすい。
【０１２４】
（Ｂ２）図１および２を主として参照しながら、車体バランサー１２に関連する構成および動作について具体的に説明する。
【０１２５】
車体前後方向に延びる仮想的な軸の周りの横揺れである車体１０のローリングは、振り子センサー１３により検知される。そして、振り子センサー１３による検知の結果に基づいた車体バランス調節が車体バランサー１２の姿勢変更を利用して行われ、走行時の車体ふらつきの発生が抑制される。
【０１２６】
左右水平振り子機構である振り子センサー１３による車体バランス調節の機能を旋回時などにロックするための振り子センサーロックレバー６２は、テーブルフレーム２２０などを利用して構成された副変速レバー取付プレート６１ａに取付けられており、操縦ハンドル７０の中央部に配置されている。
【０１２７】
本実施の形態においては、振り子センサーロックレバー６２は、空きスペースが存在する、副変速レバー取付プレート６１ａの右外側面の側から取付けられており、副変速レバー取付プレート６１ａの左外側面の側に設けられた副変速レバー６１のレバー操作域と、振り子センサーロックレバー６２のレバー操作域と、の間の干渉が発生する恐れはほとんどない。そして、チェンジレバーとも呼ばれる副変速レバー６１はいつも振り子センサーロックレバー６２と反対に位置するので、作業者が車体右側を歩いている場合でも、作業者の身体が振り子センサーロックレバー６２に接触しにくい配置となり、振り子センサーロックレバー６２のレバー操作が副変速レバー６１のレバー操作にともない誤操作されることが防止され、作業者の意図しない走行伝動に切り替わることが防止される。
【産業上の利用可能性】
【０１２８】
本発明における移植機は、狭小な植付条間距離に応じた植付装置設計寸法を容易に実現することが可能であり、タマネギ苗などを移植する移植機に利用する目的に有用である。
【符号の説明】
【０１２９】
１０  車体
１１  車体カバー
１２  車体バランサー
１３  振り子センサー
２０  エンジン
３０  後輪伝動ケース
４０  従動前輪
５０  駆動後輪
５１  後輪回転軸
６０  操作ユニット
６１  副変速レバー
６２  振り子センサーロックレバー
７０  操縦ハンドル
８０  ガイドパイプ
８１  ガイドパイプグリップ
１００  植付深さ調節機構
１１０  センサー板
２００  タマネギ苗供給テーブル
２１０  タマネギ苗収容カップ
２２０  テーブルフレーム
３００  タマネギ苗植付装置
３１０、３２０  タマネギ苗植付ホッパー
３１１、３２１  タマネギ苗受入部
３１２、３２２  タマネギ苗植付部
４００  鎮圧機構
４１０、４２０  鎮圧装置
４１１、４１２、４２１、４２２  鎮圧輪
４３０  左外側鎮圧輪フレーム
４４０  右外側鎮圧輪フレーム
４５０  内側鎮圧輪フレーム
４６１〜４６４  鎮圧輪ステー
４７０、４８０  鎮圧装置付勢ロッド
４７１、４８１  鎮圧装置付勢スプリング
４９１  鎮圧輪フレーム回動シャフト部材
４９２  鎮圧輪フレーム連結アーム部材
５１１、５１２、５２１、５２２  スクレーパー
６００  水タンク
６１０  水ホース
６１１  水ホースクランプ
６１２  水ホースフィルター
６１３  水ホース絶縁体
７００  水タンクステー
７１０  第一水平プレート部材
７２０  第二水平プレート部材
８００  タマネギ苗コンテナ
９００  タマネギ苗コンテナ保持機構
９１０  プレート部材
９２１  ボルト
９２２  リブ
【図１】
0006447561.tif 000002
【図２】
0006447561.tif 000003
【図３】
0006447561.tif 000004
【図４】
0006447561.tif 000005
【図５】
0006447561.tif 000006
【図６】
0006447561.tif 000007
【図７】
0006447561.tif 000008
【図８】
0006447561.tif 000009
【図９】
0006447561.tif 000010
【図１０】
0006447561.tif 000011